(57)【要約】      （修正有）【課題】特殊カードであっても取扱を可能とするカード処理装置及び明細書発行装置を提供する。【解決手段】磁気情報が記録されたカード状の媒体を処理するカード処理装置１００であって、挿入口３０４と、媒体を搬送する搬送路３５０と、カード処理装置内の挿入口側に設けられた第１のシャッタ３１６と、第１のシャッタよりも媒体の搬送方向下流に設けられた第２のシャッタ３２６と、第１のシャッタと第２のシャッタとの間に設けられた媒体を検出する媒体検出センサ３４１と、媒体の磁気情報を読み取る識別部３０２と、媒体検出センサが挿入口から挿入された媒体を検知した場合に、ソレイイド３１１で第１のシャッタを閉じ、ソレノイド３１８で第２のシャッタを開ける勘合動作を実行し、媒体を搬送路に沿って識別部まで搬送する制御部と、を備える。【選択図】図１
2018180944.tif 000002
【特許請求の範囲】
【請求項１】
磁気情報が記録されたカード状の媒体を処理するカード処理装置であって、
挿入口と、
前記媒体を搬送する搬送路と、
前記カード処理装置内の前記挿入口側に設けられた第１のシャッタと、
前記第１のシャッタよりも前記媒体の搬送方向下流に設けられた第２のシャッタと、
前記第１のシャッタと前記第２のシャッタとの間に設けられた前記媒体を検出する媒体検出センサと、
前記媒体の磁気情報を読み取る識別部と、
前記媒体検出センサが前記挿入口から挿入された前記媒体を検知した場合に、前記第１のシャッタを閉じ、前記第２のシャッタを開ける勘合動作を実行し、前記媒体を前記搬送路に沿って前記識別部まで搬送する制御部と、
を備えることを特徴とするカード処理装置。
【請求項２】
前記媒体検出センサは、移動機構により前記搬送路の幅方向に移動可能である、
ことを特徴とする請求項１に記載のカード処理装置。
【請求項３】
前記媒体に付されたＩＣチップを検出するＩＣチップ検出センサと、
前記第２のシャッタよりもさらに前記媒体の搬送方向下流に設けられたＩＣチップ読取部と、を備え、
前記制御部は、前記ＩＣチップ検出センサにより前記ＩＣチップが検出された前記媒体を前記搬送路に沿って前記ＩＣチップ読取部まで搬送する、
ことを特徴とする請求項１に記載のカード処理装置。
【請求項４】
前記ＩＣチップ読み取りセンサおよび前記第２のシャッタの前記搬送方向下流に前記媒体を検出する誤読防止センサを備え、
前記制御部は、前記媒体検出センサが前記媒体を検出しない場合において、前記誤読防止センサが前記媒体を検出した場合、前記媒体を前記搬送方向とは逆方向に搬送し、前記媒体検出センサにより検出された前記媒体を再び前記ＩＣチップ読取部まで搬送する、
ことを特徴とする請求項３に記載のカード処理装置。
【請求項５】
前記第１のシャッタと前記第２のシャッタとは、連接部材によりつなげられ、前記第１のシャッタと前記第２のシャッタの中心に支点を有したシーソー構造により開閉する、
ことを特徴とする請求項１に記載のカード処理装置。
【請求項６】
前記第１のシャッタまたは前記第２のシャッタは、前記媒体との接触部位が台形状の柔軟部材またはローラにより構成されている、
ことを特徴とする請求項１に記載のカード処理装置。
【請求項７】
前記第２のシャッタよりもさらに前記媒体の搬送方向下流に前記媒体端を検出する媒体端検出センサを備え、
前記制御部は、前記媒体端検出センサが前記媒体を検出してから前記第１のシャッタが閉じるまでの時間を計測し、計測した前記時間に基づいて前記媒体の長さを算出し、算出した前記媒体の長さが所定の長さである場合、前記第２のシャッタを閉じて前記識別部により前記媒体の磁気情報を読み取らせる、
ことを特徴とする請求項１に記載のカード処理装置。
【請求項８】
前記制御部は、前記カード処理装置に接続された上位装置からの指示または前記カード処理装置内部の設定により、前記勘合動作および／または前記媒体の長さの算出を選択可能である、
ことを特徴とする請求項７に記載のカード処理装置。
【請求項９】
前記カード処理装置と、前記媒体とともに処理される明細票を出力するプリンタユニットと、前記カード処理装置により処理された媒体と前記プリンタユニットにより処理された明細票とを排出する共通の前記挿入口を有した統合放出部と、
を備える明細票発行装置。
【発明の詳細な説明】
【技術分野】
【０００１】
本発明は、銀行等の金融機関で使用される現金自動取引装置ＡＴＭ（Ａｕｔｏｍａｔｅｄ  ｔｅｌｌｅｒ  ｍａｃｈｉｎｅ）やなどで使用されるＩＳＯ７８１０で定義されている固有番号が書き込まれた小型長方形カードを識別するカード処理装置に関する。
【背景技術】
【０００２】
熱可塑性合成樹脂を基材として小型長方形に形成し、固有番号を書き込む目的で磁性体材料を埋め込んだいわゆる磁気カードを取り扱う処理装置としては、特許文献１が知られている。特許文献１では、搬送路上の挿入口に媒体（カード）検出手段を設け、その後方にカード厚検出手段を設け、前記媒体検知手段が媒体検知状態かつ前記カード厚検出手段が厚みありのとき、閉塞状態であった搬送路上のシャッタを、開放し媒体（カード）がカード処理装置内部に搬送し、カード処理装置内の磁気ヘッドにより、磁気カード内にかかれた固有番号を読み取っている。
【先行技術文献】
【特許文献】
【０００３】
【特許文献１】特開２０１１−２０９９８１号公報
【発明の概要】
【発明が解決しようとする課題】
【０００４】
昨今、磁気カードを発行する一部の金融機関では、磁気カードのデザインに持ち主の顔写真を多色印字で印字した意匠を入れたものを発行して、他の金融機関と差別化を図ってきた。しかしながら、磁気カードへの写真印刷には経費がかかるため衰退傾向にある。そこでまた一部の金融機関では差別化を行うために、図１３（ａ）に示すがごとく、長方形形状をしたカードの磁気ストライプを含まない片辺の一部を大きく切りかくカードや、図１３（ｂ）に示すがごとく磁気ストライプを含まない片辺のカードの中央部をえぐる形状のカードの発行を行う金融機関があらわれた。
【０００５】
特許文献１で示す技術では、カード幅検知センサが”媒体有”を検出したときに吸入条件を満たすため、図１３（ａ）および図１３（ｂ）に示すようないわゆる形状が特殊な特殊形状カードでは、凹が幅センサをよぎる事が少ないためエラーとなり、カードを吸入して装置内部に搬送できなくなり、取り扱えなくなってしまうことが問題となっていた。
【０００６】
また、基材に透明な部材を使った材質が特殊な透明カードの場合も、幅センサからの光を透過してしまうためカードの幅を検出できずにエラーとなり、上記特殊形状カードの場合と同様、取り扱うことができず、問題となっていた。
【０００７】
本発明は、特殊カードであっても取扱が可能なカード処理装置および明細票発行装置を提供することを目的とする。
【課題を解決するための手段】
【０００８】
本発明にかかるカード処理装置は、磁気情報が記録されたカード状の媒体を処理するカード処理装置であって、挿入口と、前記媒体を搬送する搬送路と、前記カード処理装置内の前記挿入口側に設けられた第１のシャッタと、前記第１のシャッタよりも前記媒体の搬送方向下流に設けられた第２のシャッタと、前記第１のシャッタと前記第２のシャッタとの間に設けられた前記媒体を検出する媒体検出センサと、前記媒体の磁気情報を読み取る識別部と、前記媒体検出センサが前記挿入口から挿入された前記媒体を検知した場合に、前記第１のシャッタを閉じ、前記第２のシャッタを開ける勘合動作を実行し、前記媒体を前記搬送路に沿って前記識別部まで搬送する制御部と、を備えることを特徴とするカード処理装置として構成される。
【０００９】
また、本発明は、上記カード処理装置を備えた明細票発行装置としても構成される。
【発明の効果】
【００１０】
本発明によれば、特殊カードであっても取扱が可能となる。
【図面の簡単な説明】
【００１１】
【図１】カード処理装置の構成例を示す図である（実施例１）。
【図２】カード処理装置のブロック図である。
【図３】カード処理の処理手順を示すフローチャートである（実施例１）。
【図４Ａ】カード処理において吸入されるカードが搬送される様子を示す図である。
【図４Ｂ】カード処理において吸入されるカードが搬送される様子を示す図である。
【図５】勘合動作の他の例を示す図である。
【図６】カード処理において排出されるカードが搬送される様子を示す図である。
【図７Ａ】シャッタの構成を示す図である。
【図７Ｂ】シャッタの構成を示す図である。
【図７Ｃ】シャッタの構成を示す図である。
【図８】反射材が付されたカードの例を示す図である。
【図９Ａ】カード処理装置を適用したプリンタの例を示す図である。
【図９Ｂ】カード処理装置を適用したプリンタの他の例を示す図である。
【図１０】ＩＣチップ付特殊形状カードの例を示す図である。
【図１１】カード処理装置の構成例を示す図である（実施例２）。
【図１２】カード処理の処理手順を示すフローチャートである（実施例２）。
【図１３】特殊形状カードの例を示す図である。
【発明を実施するための形態】
【実施例１】
【００１２】
以下、添付図面を参照し、本実施例におけるカード処理装置および明細票発行装置の実施の形態を詳細に説明する。図１は、本実施例におけるカード処理装置１００の構成例を示す図である。図１の上段は装置の側面図であり、下段は装置のＡ−Ｂ上方図である。
【００１３】
図１に示すように、カード処理装置３０１は、取り扱い媒体幅（図１３  ＭＷ）の幅を持つ搬送路３５０上に、挿入口３０４を配置し、前記挿入口３０４からＰＯＳで示される位置に、搬送路３５０を遮断する方向となる上下に動くことにより搬送路３５０を閉塞し、装置内の挿入口側に設けられている外側シャッタ３１６（第１のシャッタ）が配置される。また、カード処理装置３０１には、前記外側シャッタ３１６の開閉確認をする外側シャッタ開閉検知センサ３１２と前記外側シャッタ３１６を駆動する一定時間開もしくは閉の状態に保つことができる外側ソレノイド３１１が設けられている。このように、外側シャッタ３１６、外側シャッタ開閉検知センサ３１２、外側ソレノイド３１１は、挿入口３０４から搬送方向に略同一距離に設けられている。
【００１４】
また、上記ＰＯＳよりも装置内側であって挿入口３０４からＰＳＤで示される上記第１のシャッタと上記第２のシャッタとの間位置に、前記搬送路３５０上の媒体を検知する媒体（検出）センサ３４１が配置され、さらにその後ろとなる装置内側には媒体幅を検知する、幅（検出）センサ３４２が配置されている。さらに、上記ＰＳＤよりも装置内側であって前記挿入口３０４からＰＩＳで示される位置に、搬送路３５０を遮断する方向となる上下に動くことにより前記搬送路３５０を閉塞し、第１のシャッタよりも前記媒体の搬送方向下流に設けられている内側シャッタ３２６（第２のシャッタ）が配置される。また、カード処理装置３０１には、前記内側シャッタ３２６の開閉確認をする内側シャッタ開閉検知センサ３２２と前記内側シャッタ３２６を駆動する内側ソレノイド３１８が設けられている。上記ＰＩＳよりも装置内側であって前記挿入口３０４からＰＨＲで示される位置にローラ対３５２を配置し、前記ローラ対３５２は、搬送モータ３８１と図示しない連接系を介して接続され、さらに装置内側に媒体を搬送するための搬送ローラ対３５３を有している。搬送ローラ対３５３も前記ローラ対３５２と同様に搬送モータ３８１により駆動制御される。また、カード処理装置３０１には、上記ＰＨＲよりも装置内側であって挿入口３０４からＰＩＬで示される位置に、搬送されてくる媒体前縁を検知する上端検知センサ３４７を配置し、その後方には、挿入された媒体を識別し幅方向においてMHの位置に読み取り中心がある磁気ヘッド３０２を配置している。なお、配置した各構成要素間の距離は、ＰＩＳ  <ＰＨＲ<MＬ  <ＰＩＬを満たしている。
【００１５】
続いて、前記外側シャッタ３１６の構成について説明する。図７Ａは、外側シャッタ３１６の構成例を示す図である。図７Ａでは、外側シャッタ３１６の搬送方向正面図（Ａ）と、側面図（Ｂ）とを示している。
【００１６】
図７Ａに示すように、外側シャッタ３１６は、その上端に設けられ、搬送幅（ＭＷ）と同じ幅を有した棒状の接触部材７２０と、外側ソレノイド３１１に接続され、接触部材７２０を下側から支えるフィンガ部７１０とを有している。接触部材７２０は、媒体が外側シャッタ３１６まで搬送されてきた媒体の下面側または厚み側に突き当たったときの衝撃を抑えるため、その形状を図７（Ｂ）で示す台形形状としているが、衝突面が球形状、三角形状等、媒体からの衝撃を逃がす形状であれば他の形状であってもよい。また、接触部材７２０の材質は、剪断方向の応力にはやわらかく、接触した物体の表面を傷つけないが、圧縮方向の応力には強固である物性が用いられる。また、静電気を除去するため、図７Ｂに示すように、接触部材７２０には、炭素繊維を平織りに織り込み重積した部材を骨格材７９０として用い、金属粉を含み、導電性を付与したゴム剤からなる柔軟部材７８０で、台形状に覆う構造としている。なおフィンガ部も前記手法で作成されても良いことは言うまでもない。また、図７Ｃに示すように、接触部材７２０を、フィンガ部７１０に回転軸Ａを有した接触ローラ７４０のように構成してもよい。
【００１７】
図２は、カード処理装置１００のブロック図を示したものである。図２に示すように、カード処理装置１００は、カード処理装置１００の各部を制御する主制御部４０４と、媒体を搬送する搬送部４０２と、媒体に記録された磁気ストライプ等の磁気情報を読み取る個別識別部４５０とを有して構成されている。また、カード処理装置１００は、明細票等の紙媒体を発行するプリンタユニット９４０に接続されている。また、搬送部４０２は、図１に示した各種シャッタやセンサ、媒体を搬送するための各種モータやローラを制御するための搬送制御部４０６と、外側ソレノイド３１１と、内側ソレノイド３１８と、外側シャッタセンサ３１２と、内側シャッタセンサ３２２と、幅センサ３４２と、搬送モータ３８１と、媒体センサ３４１と、上端センサ３４７とを有して構成されている。また、個別識別部４５０は、個別識別部４５０の各部を制御する磁気制御部４５２と、媒体の磁気情報を解析する磁気解析部４５３と、媒体の磁気情報を読み取るＭＳヘッド３０２とを有している。また、プリンタユニット９４０は、プリンタユニット９４０の各部を制御するプリンタ制御部４６２と、プリンタ制御部４６２により制御される搬送・印字機構４６３とを有している。ICカード制御部４６５、ICカード接点部、信号線４８８については実施例２で後述する。
【００１８】
カード処理装置１００の主制御部４０４は、ＡＴＭ等から構成される上位装置４０１から、信号線４７１を介して、搬送処理の実行／不実行を示す動作モード、開局指示、媒体の吸入・識別・排出・回収の各指示を含む媒体の処理に必要な各種指示を受け取る。主制御部４０４は、これらの指示を受けると、媒体の搬送要素群である搬送部４０２を主に制御する搬送部制御部４０６に対して、『吸入』・『排出』に類する搬送指示を、信号線４７２を介して指示する。また、前記主制御部４０４は、媒体の識別要素群である個別識別部４５０を制御する磁気制御部４５２に対して、個別識別（磁気情報の読取）の指示を、信号線４８２を介して指示する。特に識別指示を前記上位装置４０１から受けた時は、前記搬送制御部４０６と前記磁気制御部４５２と同期を図りながら実行する。以下、カード処理装置１００の動作について、図３、４Ａ、Ｂを用いて説明する。なお、図３では、上位装置４０１から開局指示を受け、外側ソレノイド３１１により外側シャッタ３２６が開いているものとする。
【００１９】
図３に示すように、搬送処理の実行の指示と上記『個別識別』の指示とを前記上位装置４０１から前記主制御部４０６を介して受けると（図４Ａ（Ａ））、前記搬送制御部４０６は、信号線４７９を介して接続されている媒体センサ３４１の監視を開始し（Ｓ３２０）、媒体センサ３４１が、利用者の手Ｈにより保持されて外部から挿入された媒体有を検出した場合（Ｓ３２０；Ｙｅｓ、図４Ａ（Ｂ））、前記搬送モータ３８１を、信号線４７８を介して駆動指示する（Ｓ３２５）。
【００２０】
次に、前記搬送制御部４０６は、信号線４７４を介して前記内側ソレノイド３１８を駆動することにより、前記内側シャッタ３２６を開の状態とし（図４Ａ（Ｃ））、信号線４７３を介して前記外側ソレノイド３１１を駆動することにより前記外側シャッタ３１６を閉じ、外部から挿入された媒体を勘合する［勘合動作］（Ｓ３３５、図４Ｂ（Ｄ））。このように、勘合動作では、外側シャッタ３１６を閉状態とし、内側シャッタ３２６が開状態となって装置内側に搬送されている媒体の下面に外側シャッタ３１６が突き当てられた状態となる。搬送制御部４０６は、媒体検出センサ３４１が挿入口３０４から挿入された媒体を検知した場合に、上記第１のシャッタを閉じ、上記第２のシャッタを開ける勘合動作を実行し、媒体を搬送路３５０に沿って磁気ヘッド３０２まで搬送する。なお、Ｓ３３５の勘合動作は、図５に示すように、外側シャッタ３１６と内側シャッタ３２６とを連接棒Ｓで物理的に接続し、その中央点に支点Ｐをもうけるいわゆるシーソー構造にしてソレノイドを一つにしても可能である。図５では、例えば、外側ソレノイド３１１が外側シャッタ３１６を開状態にすると、内側シャッタ３２６が連接棒Ｓに作用されて閉状態となり、外側ソレノイド３１１が外側シャッタ３１６を閉状態にすると、内側シャッタ３２６が連接棒Ｓに作用されて開状態となる。図５では、内側ソレノイド３１８を設けずに外側ソレノイド３１１を設けた場合を例示したが、外側ソレノイド３１１を設けずに内側ソレノイド３１８を設け、内側シャッタ３２６を動作させた場合も同様の効果を得ることが出来る。
【００２１】
利用者によって引き続き媒体が挿入され続けた場合、ローラ対３５２が、媒体前縁を把持し、それにより媒体搬送ができるようになる。
【００２２】
次に、前記搬送制御部４０６は、上記第２のシャッタよりもさらに媒体の搬送方向下流に設けられた前記上端（検出）センサ３４７を、信号線４８１を介して監視し、当該センサが媒体を検知したか否かを判定する（Ｓ３４５）。搬送制御部４０６は、当該センサが媒体有を検知したと判定した場合（Ｓ３４５：Ｙｅｓ）、挿入された媒体の搬送時間の計測を開始する（Ｓ３５５、図４Ｂ（Ｄ））。搬送制御部４０６は、前記外側シャッタセンサ３１２が媒体有を検知しなかったと判定した場合（Ｓ３４５；Ｎｏ）、すなわち、媒体がローラ対３５２によってさらに装置内側に搬送され、媒体に対する上記勘合動作を終えて前記外側シャッタ３１６が搬送路を閉塞完了したならば、時間計測を終了し、挿入された媒体長を演算する（Ｓ３６０、図４Ｂ（Ｅ））。なお、時間計測の方法としては、純粋に時間計測を行う以外に、パルスモータのステップ数による計測や、サーボモータのエンコードカウンタによる計測を用いてもよい。
【００２３】
搬送制御部４０６は、前記演算結果、媒体長が規定長さであるか否かを判定し（Ｓ３６５）、規定長さであると判定した場合（Ｓ３６５；Ｙｅｓ）、前記内側シャッタ３２６を閉じ（Ｓ３７５）、前記主制御部４０４に対し、搬送が完了した旨の信号を出力する（図４Ｂ（Ｆ））。ここでは、前記内側シャッタ３２６を閉じると、前記外側シャッタ３１６を開けるように制御する。前記主制御部４０４は、当該信号を受け、前記搬送制御部４０６に、磁気読み取り搬送を指示し、前記磁気制御部４５２に信号線４８２を介してＭＳヘッド３０２による磁気読み取り開始を指示する。当該指示を受けた前記磁気制御部４５２は、ＭＳヘッド３０２による磁気読み取りを開始し（Ｓ３８５）、信号線４８３を介して前記磁気解析部３４２に磁気解析指示をする。このように、搬送制御部４０６は、媒体上端検出センサ３４７が媒体を検出してから上記第１のシャッタが閉じるまでの時間を計測し、計測した時間に基づいて媒体の長さを算出し、算出した媒体の長さが所定の長さである場合、上記第２のシャッタを閉じて磁気ヘッド３０２により媒体の磁気情報を読み取らせる。
【００２４】
当該指示を受けた磁気解析部４５３は、信号線４８４を介して得られた磁気ヘッド３０２からの波形情報を解析し、符号化し、磁気情報（個別識別情報）として前記磁気制御部４５２を介して、前記主制御部４０４に出力する。出力された上記磁気情報を受け取ると、前記主制御部４０４は、搬送制御部４０６に磁気読み取り搬送の停止を指示し、前記搬送制御部４０６は、前記搬送モータ３８１を停止させる（Ｓ３９５）。その後、前記主制御部４０４は、磁気情報（個別識別情報）を上位装置４０１に送信する。なお上位装置４０１からの指示もしくは主制御部４０４内の設定が、上記Ｓ３５５の時間計測やＳ３６０の長さ演算の処理を実行させない指示もしくは設定であれば、媒体が挿入され、媒体センサ３４１、幅センサ３４２が媒体ありを検知した場合、搬送モータ３８１が回転し、これらの処理を実行することなく媒体を内部に搬送することもできる。
【００２５】
なお、上記では、媒体が吸入される場合を例に説明したが、媒体を排出する場合も同様に考えることができる。例えば、図６（Ａ）に示すように、媒体の上記磁気情報が読み取られた後のＭＳヘッド３０２付近にある状態から搬送モータ３８１が排出方向に搬送した後、抜き取られたことを外側シャッタセンサ３１２によって検知し、搬送制御部４０６を介して上位装置４０１に報告することができる（図６（Ｂ））。
【００２６】
また、媒体に付された磁気ストライプ等の磁気情報の位置を考慮し、媒体センサ３４１、幅センサ３４１の位置を移動可能としてもよい。例えば、図１のＡ−Ｂ上方図に示すように、搬送路３５０の幅方向に媒体センサ３４１や幅センサ３４１を移動させるためのスライド溝３８３、３８４である移動機構を設け、現在の取り付け位置（図１では、吸入方向に対して左端）と吸入中心軸と線対象となる位置（図１では、吸入方向に対して右端）まで取り付け可能な鑽孔であるスライド溝対３８３、３８４を設けても良い。これにより、カード表面上の特定の一部に、図８に示すがごとく、高反射材８０３(多くの場合優待シール等のフィルムやラベル)が付されたカードＣがあり、媒体センサ３４１を光学センサとしたとき、媒体センサ３４１の検出域８０４上には高反射材８０３があるため、媒体センサ３４１は、外乱光の影響により、位置８０８ではカードＣの挿入を検知できない。そこで、位置８０９に媒体センサ３４１を移動させると、検出域８０５上には上記高反射材８０３により生じた外部外乱光による誤読を回避できる。また本実施例では、勘合動作有、媒体長測定有の場合の事例動作を記載したが、それぞれの動作を個別に組み合わせて実施できることはいうまでもない。
【００２７】
図９Ａは、図１に示したカード処理装置を適用した金融機関で使用される取引明細書プリンタの例を示す図である。図９Ａでは、前記カード処理装置３０１をカードユニット９６０として明細書プリンタ９０１の下部に設けられ、前記カードユニット９６０同じ搬送路幅のプリンタユニット９４０が、その上部に設けられている。プリンタユニット９４０には、明細票に情報を印字するためにヘッド９４１と、ロール紙Ｘを１枚の明細票に切断するためのカッタ９４２とを有して構成されている。
【００２８】
カードユニット９６０とプリンタユニット９４０とは、統合放出部９５０で、それぞれの搬送路が連結されている。統合放出部９５０は、プリンタユニット９４０から出力された明細票と、カードユニット９６０から排出されてきた媒体とを重ねて搬送し、顧客に返却するための機構である。統合放出部９５０には、プリンタユニット９４０から出力された明細票と、カードユニット９６０から排出されてきた媒体とを重ねて搬送するための搬送ローラ９５１と、重ねられた明細票と媒体とを顧客に返却するための排出口９５２とを有して構成されている。特に図示していないが、プリンタユニット９４０にはロール紙Ｘや明細票が搬送される搬送路を有し、統合放出部９５０には、重ねられた明細票と媒体とが搬送される搬送路を有している。
【００２９】
また、前記主制御部４０４と前記プリンタユニット９４０は、図２に示したようにプリンタ制御部４６２を有し、プリンタ制御部４６２は信号線４８５を介して接続されている。前記プリンタ制御部４６２は、ロール紙Ｘを搬送・印字・裁断を行い単票として排出する搬送・印字機構４６３を、信号線４８６を介して接続している。このため上位装置４０１より『個別識別』の指示をうけたとき、主制御部４０４は、プリンタ制御部４６２に統合放出部９５０内の（略）残留検知センサを監視させ、残留を検知した場合、プリンタ制御部４６２は、搬送・印字機構４３６に対して、残留媒体回収を指示する。プリンタ制御部４６２を介して残留媒体回収報告をうけた主制御部４０４は、搬送制御部４０６に対して上述した勘合動作を指示し、統合放出部９５０に媒体を搬送する。このように、カードユニット９６０と、媒体とともに処理される明細票を出力するプリンタユニット９４０と、カードユニット９６０により処理された媒体とプリンタユニット９４０により処理された明細票とを排出する共通の挿入口９５２を有した統合放出部９５０を備えているので、明細書プリンタ９０１において媒体と明細票とを重ねて排出するように制御することができる。
【００３０】
図９Ａでは、統合放出部９５０が、プリンタユニット９４０から出力された明細票と、カードユニット９６０から排出されてきた媒体とを重ねて搬送したが、図９Ｂに示すように、統合放出部９５０を設けずに、プリンタユニット９４０から出力された明細票をカードユニット９６０に搬送し、カードユニット９６０側で統合放出部９５０と同様の構成を設けても良い。この場合、統合放出部９５０を個別に設ける必要がなくなるため、明細書プリンタ９０１としてよりコンパクトな構成とすることができる。
【実施例２】
【００３１】
実施例１では、媒体センサ３４１や幅センサ３４２を、あらかじめ定められた磁気ストライプ等の磁気情報の位置に配置したり、これらを移動させるためのスライド溝を設けることとした。しかし、媒体にＩＣチップが付されたものである場合も、図８に示した反射材が付された媒体と同様に、外乱光により誤読が生じる場合がある。そこで、ICチップが付された媒体について外乱光による誤読を回避する構成について説明する。
【００３２】
図１０は、図１３で示した媒体(磁性体有)にICチップが取り付けられかつ透明な基材を用いられたいわゆるICカード等のＩＣチップ付き透明識別カード(以下透明識別媒体)を示す図である。図１１（ａ）は、実施例１のカード処理装置に、ＩＣチップに記録された情報を読み取るICカード接点部４６６、ＩＣチップを検出するＩＣチップ検出センサ１１０１をさらに備えたカード処理装置のＡ−Ｂ上面図である。図示するように、ＩＣチップ読取部であるICカード接点部４６６は、上記第２のシャッタよりもさらに媒体の搬送方向下流に設けられている。実施例２におけるカード処理装置は、図２で示したように、ICカード制御部４６５を介して、主制御部４７１と接続されている。ＩＣチップ検出センサ１１０１は、媒体センサ３４１や幅センサ３４１と同様に、ＩＣチップが付される位置に応じて、ＩＣチップ検出センサ１１０１を移動させるためのスライド溝を有した移動機構を設けてもよい。この場合、ICカード接点部４６６も同じ搬送路の幅方向の位置に移動させる必要があるため、当該ICカード接点部４６６も同様の移動機構を設けてもよい。
【００３３】
また、上記のような透明識別媒体は、搬送斜め方向からの外光を反射して搬送路奥まで外乱光として導きやすいので、媒体検出センサ３４１が誤検知しやすくなる。そのため、誤検知防止用に磁気ストライプ上縁部に沿う位置(中心線MHより上方である搬送路の中心側の位置dd)に誤検知防止センサ３８６を配置し、かつ同様に媒体検出センサ３４１の誤検知防止用に磁気ストライプの下縁部に沿う位置(中心線MHより下方である搬送路の縁側の位置dd)に誤検知防止センサ３８７を配置する。このように、誤検知防止センサ３８６、３８７は、ＩＣチップ読み取りセンサ１０１１および上記第２のシャッタの搬送方向下流に設けられている。誤検知防止センサ３８６および３８７の出力値は、論理和として構成される。すなわち、誤検知防止センサ３８６および３８７のいずれかが上記透明識別媒体を検知した場合、媒体有と判定される。
【００３４】
なお、誤検知防止センサ３８６および３８７を磁気ストライプ上縁と下縁に沿うように配置した理由は、図１１（ｂ）に示すような切かきを有する前記透明識別媒体が挿入されたとき、磁気ストライプ等の磁気情報の読み取りや、ICチップの読み取りでは正しく読み取られてしまう程度に斜め搬送されてしまうことがある。この場合、MSヘッド３０２の中心位置MHに誤検知防止センサ３８６および３８７を配置すると前記透明識別媒体の非透過部分の検出ができなくなる可能性があるためである。MSヘッド３０２側が細い台形形状をした搬送モータ381と接続しているスキュー防止ローラ１１０６を１ないし複数個配置すると、上記のような斜め搬送されてしまうことを防止することができる。以降、図１１、１２を用いて、実施例２におけるカード処理装置の動作について説明する。
【００３５】
前記透明識別媒体を吸入させるためには、前段階で媒体センサ３４１や幅センサ３４１を当該透明識別媒体の非透過部である磁気ストライプ近傍に、手動または機械的に移動させる（図１１矢印Ｍ）。また、前提として上位装置４０１から主制御部４０４に対しては、実施例1で示した勘合動作を実行する指示がされていないものとする。
【００３６】
図１２に示すように、挿入口３０４から前記透明識別媒体が外部からの力により挿入されると、前記搬送制御部４０６は、媒体センサ３４１が前記透明識別媒体１００１の非透過部である磁気ストライプ部を検知したか否かを判定する（Ｓ１２０５）。前記搬送制御部４０６が、媒体センサ３４１が上記磁気ストライプ部を検知したと判定すると（Ｓ１２０５；Ｙｅｓ）これを契機に搬送モータ３８１の駆動を開始する（Ｓ１２１０）。その後、実施例１の場合と同様に、前記搬送制御部４０６は、利用者の手等による外部の力により、上記透明識別媒体が幅センサ３４２を通過(有)したことを検知したか否かを判定し（Ｓ１２１５）、上記透明識別媒体が幅センサ３４２を通過(有)したことを検知したと判定した場合（Ｓ１２１５；Ｙｅｓ）、ローラ対３５２が前記透明識別媒体を把持し、カード処理装置３０１内部に搬送モータ３８１の動力によって引き込まれる。このときＩＣチップ検出センサ１１０１はＩＣチップの存在を検出しているものとする。
【００３７】
実施例１の場合と同様、前記搬送制御部４０６は、引き続き上記透明識別媒体が引き込まれ、媒体センサ３４１が上記透明識別媒体を検知しなくなったか否かを判定する（Ｓ１２２０）。前記搬送制御部４０６が、上記透明識別媒体を検知しなくなったと判定した場合（Ｓ１２２０；Ｙｅｓ）、外力から引き離されて、完全に内部に引き込まれたと判断し、透明識別媒体の表面の外乱光を防ぐことができる状態である前記外側シャッタ３１６を閉状態にする（Ｓ１２３０）。前記搬送制御部４０６は、媒体センサ３４１、幅センサ３４２、ICカード接点部４６６、ICチップ１００６の位置関係から、前記ICカード接点部４６６からＩＣ前記透明識別媒体に付されたICチップ１００６までの距離を演算して所定距離となっているか否かを判定する（Ｓ１２３５、Ｓ１２４０）。前記搬送制御部４０６が、前記ICカード接点部４６６と前記ICチップ１００６との間の距離が所定距離となっていると判定した場合（Ｓ１２４０；Ｙｅｓ）、前記搬送モータ３８１を停止させる（Ｓ１２４５）。前記搬送制御部４０６は、前記ICカード接点部４６６と前記ICチップ１００６を接合させ、前記ICチップ１００６に記録された情報が読み出されたか否かを判定する（Ｓ１２５０）。
【００３８】
前記搬送制御部４０６は、前記ICチップ１００６に記録された情報が読み出されたと判定した場合（Ｓ１２５０；Ｙｅｓ）、接合完了とみなし、個別情報識別を行い（Ｓ１２５５）、上位装置４０１に個別識別情報を送信する。
【００３９】
Ｓ１２１５において、前記搬送制御部４０６は、上記透明識別媒体が幅センサ３４２を通過(有)したことを検知しなかったと判定した場合（Ｓ１２１５；Ｎｏ）、その理由は、搬送モータ３８１を駆動開始後、幅センサ３４１が外乱光のため一瞬ちらつきが生じたことに起因するものであると判断し、搬送モータ３８１により搬送ローラ対３５３が上記透明識別媒体をさらに搬送する。その後、前記搬送制御部４０６は、誤検知防止センサ３８６または３８７が媒体ありを検知したか否かを判定し（Ｓ１２６０）、媒体ありを検知したと判定した場合（Ｓ１２６０；Ｙｅｓ）、外側シャッタ３１６を閉じて外乱光の影響を防ぎ（Ｓ１２６５）、搬送モータ３８１を停止させるとともに、搬送方向をそれまでとは逆の排出方向に搬送ローラ対３５３を駆動して上記透明識別媒体を搬送する（Ｓ１２７０）。
【００４０】
前記搬送制御部４０６は、幅センサ３４２が上記透明識別媒体を検出したか否かを判定し（Ｓ１２７５）、幅センサ３４２が上記透明識別媒体を検出したと判定した場合（Ｓ１２７５；Ｙｅｓ）、搬送モータ３８１の駆動を停止させ、搬送方向を反転させて吸入方向として（Ｓ１２８５）、さらに、媒体センサ３４１が吸入された上記透明識別媒体を検知し（S１２２０）、S１２３０以降同様の処理を実行する。このように、搬送制御部４０６は、媒体検出センサ３４１が媒体を検出しない場合において、誤検知防止センサ３８６、３８７が媒体を検出した場合、媒体を搬送方向とは逆方向に搬送し、媒体検出センサ３４１により検出された媒体を再びICカード接点部４６６まで搬送する。
【００４１】
なお、本実施例では、２つの誤検知防止センサを設けたが、その数は任意である。また、実施例１の場合と同様、吸入時のみシャッタで上記透明識別媒体を勘合してもよいし、排出時に勘合しても良い。
【００４２】
上記実施例１、２に示したように、長方形ではない、特殊形状をした識別カードの検出をカードリーダ内の幅センサでなく、シャッタで勘合しつつ、内部に搬送し、シャッタが閉じきれないとき、識別カードありとして内部にとりこむことにより、従来は異物として排出していたもしくは吸入できなかった特殊形状をした及び基材が透明となった識別カード（経年変化により特殊形状になってしまったカードも含む）を、処理装置内部に搬送し、個別情報を読み取ることができる。
【００４３】
なお、搬送制御部４０６は、カード処理装置３０１に接続された上位装置４０１からの指示またはカード処理装置３０１内部の設定（例えば、あらかじめメモリに記憶された設定）により、上記勘合動作および／または媒体の長さの算出を選択可能としてもよい。このような処理を選択可能とすることで、必要に応じてカード処理装置３０１に対するこれらの処理を選択することができる。
【符号の説明】
【００４４】
３０１：カード処理装置
３０２：磁気ヘッド
３０４：挿入口
３１１：外（側）ソレノイド
３１２：外（側）シャッタ（開閉検知）センサ
３１６：外側シャッタ
３１８：内（側）ソレノイド
３２２：内（側）シャッタ（開閉検知）センサ
３２６：内（側）シャッタ
３４１：媒体（検出）センサ
３４２：幅（検出）センサ
３４７：上端（検知）センサ
３５０：搬送路
３５２、３５３：ローラ対
３８１：搬送モータ
３８２:センサ取り付けスライド溝対
３８３:センサ取り付けスライド溝対
４０１：上位装置
４０２：搬送部
４０４：主制御部
４０６：搬送部制御部
４５０：個別識別部
４５２：磁気制御部
４５３：磁気解析部
４６２：プリンタ制御部
４６３：搬送・印字機構
４６５:ICカード制御部
４６６:ICカード接点
７１０：フィンガ部
７２０：接触棒
７４０：接触ローラ
７８０：柔軟部材
７９０：骨格材
８４０、９４０：プリンタユニット
８５０、９５０：統合放出部
８６０、９６０：カードユニット
【図１】
2018180944.tif 000003
【図２】
2018180944.tif 000004
【図３】
2018180944.tif 000005
【図４Ａ】
2018180944.tif 000006
【図４Ｂ】
2018180944.tif 000007
【図５】
2018180944.tif 000008
【図６】
2018180944.tif 000009
【図７Ａ】
2018180944.tif 000010
【図７Ｂ】
2018180944.tif 000011
【図７Ｃ】
2018180944.tif 000012
【図８】
2018180944.tif 000013
【図９Ａ】
2018180944.tif 000014
【図９Ｂ】
2018180944.tif 000015
【図１０】
2018180944.tif 000016
【図１１】
2018180944.tif 000017
【図１２】
2018180944.tif 000018
【図１３】
2018180944.tif 000019